(57)【特許請求の範囲】
【請求項１】
物体側から順に、
正の屈折力の第１レンズ群と、
負の屈折力の第２レンズ群と、
明るさ絞りと、
正の屈折力の第３レンズ群と、  
正の屈折力の第４レンズ群とからなり、
変倍に際して前記第１レンズ群、前記第２レンズ群、前記第３レンズ群、前記第４レンズ群、および前記明るさ絞りが移動し、
前記第１レンズ群は、物体側から順に負レンズと、正レンズとの２枚からなり、
前記第２レンズ群は、物体側から順に負レンズと、正レンズとの２枚からなり、
前記第３レンズ群は、物体側から順に、正レンズと、正レンズと、負レンズとの３枚からなり、
前記第４レンズ群は、プラスチック材料で形成されている１枚の正レンズからなることを特徴とするズームレンズ。
【請求項２】
以下の条件式を満足することを特徴とする請求項１に記載のズームレンズ。
（１）    ０．５０＜ｆ1／ｆt＜２．００
ただし、ｆ1は前記第１レンズ群の焦点距離、
ｆtは望遠端における前記ズームレンズの全系の焦点距離、
である。
【請求項３】
前記第２レンズ群の前記負レンズは両凹レンズであり、
以下の条件式を満足することを特徴とする請求項１または２に記載のズームレンズ。
（２）    ０．３５＜ＳＦ2n＜１．００
ただし、ＳＦ2n＝（Ｒ2nf＋Ｒ2nr）／（Ｒ2pf−Ｒ2nr）で定義され、
Ｒ2nfは前記第２レンズ群中の前記負レンズの物体側面の曲率半径、
Ｒ2nrは前記第２レンズ群中の前記負レンズの像側面の曲率半径である。
【請求項４】
前記第２レンズ群の負レンズの少なくとも１つのレンズ面は非球面であり、
以下の条件式を満足することを特徴とする請求項１〜３のいずれか一項に記載のズームレンズ。
（３）    ０．０３０＜（｜ａｓｐ2nf｜＋｜ａｓｐ2nr｜）／ｆw＜０．１１０
ただし、ａｓｐ2nfは、前記第２レンズ群の前記負レンズの物体側面の非球面の光軸近傍での曲率半径の球面に対する有効径における非球面偏倚量、
ａｓｐ2nrは、前記第２レンズ群の前記負レンズの像側面の非球面の光軸近傍での曲率半径の球面に対する有効径における非球面偏倚量、
ｆwは広角端での前記ズームレンズの全系の焦点距離、
である。
【請求項５】
前記第２レンズ群の前記負レンズおよび前記正レンズが、以下の条件式を満足することを特徴とする請求項１〜４のいずれか一項に記載のズームレンズ。
（４）    １．７６＜ｎd2n＜２．００
（５）    １．８４＜ｎd2p＜２．２０
（６）    ３５．０＜νd2n＜５０．０
（７）    １３．０＜νd2p＜３０．０
ただし、ｎd2nは前記第２レンズ群の前記負レンズのｄ線に対する屈折率、
ｎd2pは前記第２レンズ群の前記正レンズのｄ線に対する屈折率、
νd2nは前記第２レンズ群の前記負レンズのｄ線に対するアッベ数、
νd2pは前記第２レンズ群の前記正レンズのｄ線に対するアッベ数、
である。
【請求項６】
前記第１レンズ群の前記正レンズが以下の条件式を満足することを特徴とする請求項１〜５のいずれか一項に記載のズームレンズ。
（８）    −１．８０＜ＳＦ1p＜−０．５５
ただし、ＳＦ1p＝（Ｒ1pf＋Ｒ1pr）／（Ｒ1pf−Ｒ1pr）で定義され、
Ｒ1pfは前記第１レンズ群中の前記正レンズの物体側面の曲率半径、
Ｒ1prは前記第１レンズ群中の前記正レンズの像側面の曲率半径、
である。
【請求項７】
前記第１レンズ群の前記負レンズと前記正レンズとが接合されていることを特徴とする請求項１〜６のいずれか一項に記載のズームレンズ。
【請求項８】
前記第１レンズ群の前記負レンズと前記正レンズとは接合されていない、それぞれ独立した単レンズからなることを特徴とする請求項１〜６のいずれか一項に記載のズームレンズ。
【請求項９】
前記第１レンズ群の前記負レンズと前記正レンズとの間で空気レンズが形成され、以下の条件式を満足することを特徴とする請求項８に記載のズームレンズ。
（９）    −１０５．０＜ＳＦ1air＜０
ただし、ＳＦ1air＝（Ｒ1nr＋Ｒ1pf）／（Ｒ1nr−Ｒ1pf）で定義され、
Ｒ1nrは前記第１レンズ群中の前記負レンズの像側面の曲率半径、
Ｒ1pfは前記第１レンズ群中の前記正レンズの物体側面の曲率半径、
である。
【請求項１０】
前記第３レンズ群の最も物体側の前記正レンズの形状が、以下の条件式を満足することを特徴とする請求項１〜９のいずれか一項に記載のズームレンズ。
（１０）    −１．００＜ＳＦ3p＜−０．０５
ただし、ＳＦ3p＝（Ｒ3pf＋Ｒ3pr）／（Ｒ3pf−Ｒ3pr）で定義され、
Ｒ3pfは前記第３レンズ群の最も物体側の前記正レンズの物体側面の曲率半径、
Ｒ3prは前記第３レンズ群の最も物体側の前記正レンズの像側面の曲率半径、
である。
【請求項１１】
以下の条件式を満足することを特徴とする請求項１〜１０のいずれか一項に記載のズームレンズ。
（１１）    −０．５０＜ｆ2／ｆt＜−０．１０
ただし、ｆ2は前記第２レンズ群の焦点距離、
ｆtは望遠端での前記ズームレンズの全系の焦点距離、
である。
【請求項１２】
以下の条件式を満足することを特徴とする請求項１〜１１のいずれか一項に記載のズームレンズ。
（１２）    ０．２０＜ｆ3／ｆt＜０．４５
ただし、ｆ3は前記第３レンズ群の焦点距離、
ｆtは望遠端での前記ズームレンズの全系の焦点距離、
である。
【請求項１３】
以下の条件式を満足することを特徴とする、請求項１〜１２に記載のズームレンズ。
（１３）    ０．３５＜ｆ4／ｆt＜０．９０
ただし、ｆ4は前記第４レンズ群の焦点距離、
ｆtは望遠端での前記ズームレンズの全系の焦点距離、
である。
【請求項１４】
前記第４レンズ群には非球面が配置されており、
以下の条件式を満足することを特徴とする請求項１〜１３のいずれか一項に記載のズームレンズ。
（１４）    ０＜|ａｓｐ4p／ｆ4|＜０．０２
ただし、ａｓｐ4pは前記第４レンズ群に配置された非球面が有する光軸近傍での曲率半径の球面に対する有効径における非球面偏倚量、
ｆ4は前記第４レンズ群の焦点距離、
である。
【請求項１５】
前記第１レンズ群は全てのレンズ面が球面で形成されていることを特徴とする請求項１〜１４のいずれか一項に記載のズームレンズ。
【請求項１６】
以下の条件式を満足することを特徴とする請求項１〜１５のいずれか一項に記載のズームレンズ。
（１５）    ４．０＜ｆt／ｆw＜１０．０
ただし、ｆwは広角端での前記ズームレンズの全系の焦点距離、
ｆtは望遠端での前記ズームレンズの全系の焦点距離、
である。
【請求項１７】
請求項１〜１６のいずれか一項のズームレンズと、
前記ズームレンズの像側に配置され、前記ズームレンズにより形成された像を電気信号に変換する電子撮像素子と、を有することを特徴とする電子撮像装置。
【発明の詳細な説明】
【技術分野】
【０００１】
本発明は、ズームレンズとそれを用いた電子撮像装置に関し、特に小型化を実現した、ビデオカメラやデジタルカメラをはじめとする電子撮像装置に関するものである。
【背景技術】
【０００２】
近年では、銀塩フィルムカメラに代わり、ＣＣＤやＣＭＯＳのような固体撮像素子を用いて被写体を撮影するようにしたデジタルカメラが主流となっている。更にそれは業務用高機能タイプからコンパクトな普及タイプまで幅広い範囲でいくつものカテゴリーを有するようになってきている。本発明においては、特にコンパクトな普及タイプのカテゴリーに注目している。
【０００３】
このような普及タイプのデジタルカメラのユーザーは、いつでもどこでも手軽に幅広いシーンで撮影を楽しみたいという要望をもっている。そのため、小型な商品、特に服やカバンのポケット等への収納性がよく持ち運びが便利な、厚み方向のサイズが薄型であるタイプのデジタルカメラが好まれるようになっている。
【０００４】
一方、コンパクトタイプのデジタルカメラの変倍比は３倍程度が一般的であったが、更に撮影領域を広げるために従来よりも高変倍比のカメラが求められている。
【０００５】
比較的高変倍比でコンパクトなズームレンズを構成した先行技術としては、物体側より正の屈折力の第１レンズ群、負の屈折力の第２レンズ群、正の屈折力の第３レンズ群、正の屈折力の第４レンズ群を有するタイプが知られている（例えば、特許文献１、特許文献２参照）。
【０００６】
【特許文献１】特開２００１−１３３６８７号公報
【特許文献２】特開平１１−１１９１００号公報
【発明の開示】
【発明が解決しようとする課題】
【０００７】
カメラの大きさのうち、厚さ方向のサイズは主にレンズ鏡筒のサイズで決まってしまう。このため、カメラの薄型化達成のためにはレンズ鏡筒を薄型化することが必須である。
【０００８】
したがって、レンズ鏡筒の薄型化を考慮したズームレンズ光学系の構成が極めて重要である。また、最近では、カメラ使用状態ではレンズ鏡筒をカメラボディ内からせり出し携帯時にはカメラボディ内に収納する、いわゆる沈胴式鏡筒が一般的になっている。そのため、沈胴時のレンズ鏡筒の薄型化を考慮してズームレンズ光学系を構成することが重要である。
【０００９】
具体的には、鏡筒の沈胴時の厚みを薄くするためには、少ないレンズ枚数でズームレンズ群を構成したり、またズームレンズ光学系の全長を短くしたりすることが肝要である。
【００１０】
しかしながら、上述の先行技術には以下のような問題点がある。特開２００１−１３３６８７号公報の実施例３ではレンズの構成枚数を８枚、特開平１１−１１９１００号公報の実施例１ではレンズの構成枚数を７枚、実施例３と実施例４では８枚として比較的少ないレンズ枚数で構成している。
【００１１】
ここで、従来技術の構成では、光学系の全長が長いため鏡筒の小型化が難しいという問題があった。またズーム比は３倍程度しかなく高変倍化は達成されていなかった。小型化を保ちつつ高変倍比化を行い、良好な光学性能を確保するのが難しい理由として、以下のような問題がある。
【００１２】
上述の先行技術では、第１レンズ群が変倍時に像面に対して略固定の構成となっている。このため望遠端での第２レンズ群の倍率を大きくすることができなくなり高変倍比化を行うのが困難である。または高変倍比化を行うためには第２レンズ群の移動量を大きくしなければならず、ズームレンズ系が大型化してしまう。
【００１３】
また、明るさ絞りが変倍時固定とされているが、以下のような理由から問題がある。絞り位置を変倍時固定とすると、全変倍域での倍率色収差や歪曲収差の効果的補正が難しくなる。
【００１４】
また、入射瞳位置、射出瞳位置を適切にコントロールすることができない。すなわち、広角端における軸外光束の光線高と望遠端の軸外光束の光線高のバランスをとることが困難になる。このため、第１レンズ群の外径と第４レンズ群の外径をバランスよくコンパクトに構成することが難しくなってしまう。
【００１５】
特に、広角端での第１レンズ群の外径が大きくなると、ふち肉を必要量確保しようとしたときレンズの厚みが大きくなり、鏡筒の厚型化につながってしまう。さらに広角端で明るさ絞りと第３レンズ群の間隔が大きくなるため、第３レンズ群以降の光線高が大きくなり鏡筒の外径方向が大きくなりやすい。また、第３レンズ群で特に軸外のコマ収差の発生が大きくなってしまうため、良好な光学性能を確保するのが難しくなる。
【００１６】
本発明は、このような問題点に鑑みてなされたものであり、その目的は、カメラの携帯性を損なうことなく従来よりも撮影領域を広げたいというユーザーの要望を満たすべく、カメラの小型化と高変倍比化を同時に満たしており、撮影画像の画質が良好に維持された、ＣＣＤやＣＭＯＳ等の電子撮像素子に適しているズームレンズ光学系を提供することである。
【課題を解決するための手段】
【００１７】
上述した課題を解決し、目的を達成するために、本発明の第１のズームレンズは、物体側から順に、正の屈折力の第１レンズ群、負の屈折力の第２レンズ群、明るさ絞り、正の屈折力の第３レンズ群、正の屈折力の第４レンズ群を有している。そして、変倍に際して第１レンズ群、第２レンズ群、第３レンズ群、第４レンズ群、および明るさ絞りが移動する。また、第１レンズ群は物体側から順に負レンズ、正レンズの２枚からなり、第２レンズ群は物体側から順に負レンズ、正レンズの２枚からなり、第３レンズ群は１枚の正レンズと１枚の負レンズを含む３枚以下からなり、第４レンズ群は１枚の正レンズからなる構成としている。
【００１８】
以下、第１のズームレンズにおいて、上記構成をとる理由と作用を説明する。
【００１９】
本発明では、５倍程度のズーム比を達成するために、物体側から順に正の屈折力の第１レンズ群、負の屈折力の第２レンズ群、明るさ絞り、正の屈折力の第３レンズ群、正の屈折力の第４レンズ群を配置した構成を採用した。
【００２０】
この構成で鏡筒を小型化するためには、まずレンズ沈胴時の奥行き方向の厚さを薄くする必要がある。このためには光学性能を考慮しつつ、総レンズ成分をできるだけ少なくしてズームレンズを構成しなければならない。
【００２１】
このため、第１レンズ群を物体側から順に負レンズ、正レンズの２枚、第２レンズ群を物体側から順に負レンズ、正レンズの２枚、第３レンズ群を１枚の正レンズと１枚の負レンズを含む３枚以下、第４レンズ群を正レンズの１枚で構成した。
【００２２】
中でも、従来ではレンズ群の厚さ方向が特に大きかった第１レンズ群と第２レンズ群を正レンズと負レンズの２枚ずつで構成することにより、群内で効率的に収差補正しながら群の厚さ方向を小さくし、かつ外径方向の大きさも小型化した。
【００２３】
小型化の理由は以下のとおりである。第１レンズ群および第２レンズ群では軸外光線の光軸上からの高さが高くなるので、レンズのふち肉を必要な量確保しようとするとき、軸上肉厚が非常に厚くなりやすい。
【００２４】
さらに第１レンズ群および第２レンズ群のレンズ枚数が多くなると入射瞳位置が物体側から見て遠くなるため第１レンズ群および第２レンズ群を通る軸外光線高さはますます高くなり、ふち肉確保のための軸上肉厚はより厚みが必要となる。
【００２５】
当然、レンズ枚数が増えた分の軸上肉厚も大きくなってしまう。従ってレンズ枚数を増やすにつれて、この群の径方向の大きや光軸上肉厚は必要以上に大きくなってしまい、沈胴状態にさせたとしても鏡筒のコンパクト化が十分には行えなくなる。
【００２６】
このような観点から、第１レンズ群および第２レンズ群をそれぞれ２枚ずつという少ないレンズからなる構成とすることで鏡筒のコンパクト化に大きく貢献している。
【００２７】
また、変倍作用の大きい第３レンズ群を少なくとも１枚の正レンズと１枚の負レンズを有する構成とすることにより、良好な収差補正が行われ高性能化を十分発揮できるようにした。また、３枚以下のレンズからなる構成として、小型化に貢献している。
【００２８】
また、第４レンズ群は最小枚数の正レンズ１枚で構成することによって小型化した。
【００２９】
なお、性能を維持しつつ高変倍化するためには各レンズ群に効率よく変倍作用を与えて、かつ全変倍領域において収差を良好に補正する必要がある。よって第１〜第４レンズ群、明るさ絞りをすべて移動させるようにしている。
【００３０】
このようにすべてのレンズ群を移動させることにより、各レンズ群に変倍作用を効果的に与えることが可能になる。これにより、高変倍化しても高性能を達成することができるようになる。
【００３１】
また、明るさ絞りを移動させることにより、倍率色収差や歪曲収差の効果的補正が可能になって性能面で効果を出せるだけでなく、入射瞳位置、射出瞳位置を適切にコントロールすることが可能となる。
【００３２】
すなわち、広角端における軸外光束の光線高と望遠端の軸外光束の光線高のバランスがとれるようになり、第１レンズ群の外径と第４レンズ群の外径をバランスよくコンパクトに構成することが可能となる。特に、広角端での第１レンズ群の外径を小さくすることはレンズの厚み方向の大きさのコンパクト化にも効果的につながる。
【００３３】
また、変倍の際の射出瞳位置の変動を小さくするようにコントロールすることもできるようになる。このため、ＣＣＤやＣＭＯＳ等に入射する光線角度を適当な範囲に保ち画面の隅での明るさのかげり（シェーディング）の発生を防ぐことができ、電子撮像素子に好適となる。
【００３４】
本発明では、上述のように光学系に工夫を施すことで、カメラの携帯性を損なうことなく従来よりも撮影領域を広げたいというユーザーの要望を満たせるような、カメラの小型化と高変倍比化を同時に満たしており、撮影画像の画質が良好に維持された、ＣＣＤやＣＭＯＳ等の電子撮像素子に適しているズームレンズ光学系を提供することが可能となる。
【００３５】
コンパクト化を実現しながら、効率よく良好な光学性能を得られるように、本発明では上述の他にも様々な工夫を加えている。以下に詳細に説明を述べる。
【００３６】
本発明の第２のズームレンズは、第１のズームレンズにおいて、コンパクト化と光学性能のバランスの観点から、第１レンズ群のパワーを以下の条件式を満足することを特徴とする。
【００３７】
（１）    ０．５０＜ｆ1／ｆt＜２．００
ただし、ｆ1は第１レンズ群の焦点距離、
ｆtは望遠端にけるズームレンズの全系の焦点距離、
である。
【００３８】
第２のズームレンズにおいて、上記構成をとる理由と作用を説明する。条件式（１）の上限を上回ると、第１レンズ群のパワーが小さくなりすぎるため、ズームレンズの全系の全長が長くなり鏡筒の小型化が難しくなる。条件式（１）の下限を下回ると第１レンズ群のパワーが強くなりすぎて望遠端での球面収差やコマ収差が過大に発生し、良好な光学性能を確保することが難しくなる。
【００３９】
なお、好ましくは、以下の条件式（１−１）を満たすのが良い。
（１−１）    ０．７０＜ｆ1／ｆt＜１．６０
【００４０】
なお、さらに好ましくは、以下の条件式（１−２）を満たすのが良い。これらにより、さらに上述の効果を効率良く奏することができる。
（１−２）    ０．９０＜ｆ1／ｆt＜１．２０
【００４１】
本発明では第２レンズ群を負レンズ、正レンズの２枚のみからなる構成としている。変倍を担うため、第２レンズ群は大きな負のパワーを必要とする。すると第２レンズ群の負レンズは１枚で大きな負のパワー担うことになる。
【００４２】
一方、全変倍域で高い光学性能を確保するためには、この第２レンズ群内での収差の発生を出来る限り小さく抑えておくことが重要である。とりわけ、この負レンズで発生する収差を小さく抑えることが肝要である。つまり、この負レンズには大きなパワーを担わせつつ収差の発生を最小に抑えなければならないということになる。
【００４３】
そのため、本発明の第３のズームレンズは、第１、第２のズームレンズにおいて、この負レンズは両凹レンズとして大きなパワーを持たせるのがよく、さらに形状を最適に設定しておく必要がある。具体的には以下の条件式（２）を満足するような形状とすることが望ましい。
【００４４】
（２）    ０．３５＜ＳＦ2n＜１．００
ただし、ＳＦ2n＝（Ｒ2nf＋Ｒ2nr）／（Ｒ2pf−Ｒ2nr）で定義され、
Ｒ2nfは第２レンズ群中の負レンズの物体側面の曲率半径、
Ｒ2nrは第２レンズ群中の負レンズの像側面の曲率半径、
である。
【００４５】
第３のズームレンズにおいて、上記構成をとる理由と作用を説明する。条件式（２）の上限を上回ると、第２レンズ群中の負レンズの像側面の曲率が大きくなりすぎ、特に広角端での歪曲収差や像面湾曲などの軸外収差の発生が大きくなってしまう。条件式（２）の下限を下回ると、同様に、第２レンズ群中の負レンズの物体側面の曲率が大きくなりすぎて、広角端での軸外諸収差の発生が過大になる。
【００４６】
なお、好ましくは次の条件式（２−１）を満たすのが良い。
（２−１）    ０．４５＜ＳＦ2n＜０．８５  
【００４７】
なお、さらに好ましくは次の条件式（２−２）を満たすのが良い。これらにより、さらに上述の効果を効率よく奏することができる。
（２−２）    ０．５５＜ＳＦ2n＜０．７０
【００４８】
さらに、本発明の第４のズームレンズは、第１、第２、第３のズームレンズにおいて、収差の発生を抑えて良好な光学性能を得るため、第２レンズ群の負レンズの少なくとも１つのレンズ面には非球面を配置することが望ましい。また、両面非球面としても良い。そのとき、以下の条件式（３）を満足することが望ましい。
【００４９】
（３）    ０．０３０＜（｜ａｓｐ2nf｜＋｜ａｓｐ2nr｜）／ｆw＜０．１１０
ただし、ａｓｐ2nfは、第２レンズ群の負レンズの物体側面の非球面の光軸近傍での曲率半径の球面に対する有効径における非球面偏倚量、
ａｓｐ2nrは、第２レンズ群の負レンズの像側面の非球面の光軸近傍での曲率半径の球面に対する有効径における非球面偏倚量、
ｆwは広角端でのズームレンズの全系の焦点距離、
である。
【００５０】
ここで、「非球面偏倚量」とは、対象とする非球面の光軸上での曲率半径ｒを有する球面（基準球面）に対し、光軸からの高さが有効径／２の位置での、その非球面の偏倚量を言うものである。
【００５１】
第４のズームレンズにおいて、上記構成をとる理由と作用を説明する。条件式（３）の上限を上回ると、第２レンズ群の負レンズの非球面による収差補正の作用が強くなりすぎてしまう。その結果、製造誤差によって非球面レンズの面間に偏心が発生したときの光学性能の劣化が大きくなり易い。条件式（３）の下限を下回ると、第２レンズ群の負レンズの非球面による収差補正の作用が弱くなりすぎ、広角端での歪曲収差や像面湾曲の補正が不足し易くなる。
【００５２】
なお、好ましくは、以下の条件式（３−１）を満たすのが良い。
（３−１）    ０．０４０＜（｜ａｓｐ2nf｜＋｜ａｓｐ2nr｜）／ｆw＜０．１００
【００５３】
なお、さらに好ましくは、以下の条件式（３−２）を満たすのが良い。これらにより、さらに上述の効果を効率良く奏することができる。
（３−２）    ０．０５０＜（｜ａｓｐ2nf｜＋｜ａｓｐ2nr｜）／ｆw＜０．０９５
【００５４】
さらに、本発明の第５のズームレンズは、第１、第２、第３、第４のズームレンズにおいて、第２レンズ群の硝材については以下の条件式を満たすことが望ましい。
（４）    １．７６＜ｎd2n＜２．００
（５）    １．８４＜ｎd2p＜２．２０
（６）    ３５．０＜νd2n＜５０．０
（７）    １３．０＜νd2p＜３０．０
ただし、ｎd2nは第２レンズ群の負レンズのｄ線に対する屈折率、
ｎd2pは第２レンズ群の正レンズのｄ線に対する屈折率、
νd2nは第２レンズ群の負レンズのｄ線に対するアッベ数、
νd2pは第２レンズ群の正レンズのｄ線に対するアッベ数、
である。
【００５５】
第５のズームレンズにおいて、上記構成をとる理由と作用を説明する。条件式（４）の上限を上回ると、第２レンズ群の負レンズの硝材の量産性や入手性が悪くなるため、コストアップにつながってしまう。条件式（４）の下限を下回ると、第２レンズ群の負レンズが所望の屈折力を得るのにレンズ面の曲率を大きくしなければならず、広角端での歪曲収差や像面湾曲、広角端および望遠端でのコマ収差等の発生が大きくなり易い。条件式（５）の範囲設定も同様の理由である。
【００５６】
また、条件式（６）の上限を上回ると、第２レンズ群の負レンズに関して現存の硝材では屈折率が低くなってしまうため好ましくない。条件式（６）の下限を下回ると、第２レンズ群の負レンズに関して色分散が大きくなりすぎるため色収差が過大に発生し、撮影画像に色にじみが発生し易くなる。
【００５７】
また、条件式（７）の上限を上回ると、第２レンズ群の負レンズで発生する色収差の補正が第２レンズの正レンズによっても不十分になる。条件式（７）下限を下回ると、色の異常分散性が大きくなって２次スペクトルの補正が不十分になり、撮影画像に色にじみが発生し易くなる。
【００５８】
なお、好ましくは、以下の条件式（４−１）、（５−１）、（６−１）、（７−１）を満たすのが良い。
（４−１）    １．７８＜ｎd2n＜１．９５
（５−１）    １．８７＜ｎd2p＜２．１０
（６−１）    ３７．０＜νd2n＜４７．０
（７−１）    １５．０＜νd2p＜２５．０
【００５９】
なお、さらに好ましくは、以下の条件式（４−２）、（５−２）、（６−２）、（７−３）を満たすのが良い。これらにより、さらに上述の効果を効率良く奏することができる。
（４−２）    １．８０＜ｎd2n＜１．８９
（５−２）    １．９０＜ｎd2p＜２．０２
（６−２）    ４０．０＜νd2n＜４３．０
（７−２）    １７．０＜νd2p＜２１．０
【００６０】
前述したとおり、本発明のように第２レンズ群を負レンズ、正レンズの２枚のみからなる構成とすると、第２レンズ群の負レンズは両凹の形状とすることが必須である。しかしながら一方で、このように構成すると特に広角端での負の歪曲収差が発生し易くなってしまう。
【００６１】
本発明の第６のズームレンズは、第１〜第５のズームレンズにおいて、第２レンズ群で発生する歪曲収差を効果的に補正できるように、なおかつその他の軸外諸収差についてもバランスよく補正できるように、第１レンズ群の正レンズの形状について工夫を施している。具体的には以下の条件式（８）を満足するような形状に設定することが望ましい。
【００６２】
（８）    −１．８０＜ＳＦ1p＜−０．５５
ただし、ＳＦ1p＝（Ｒ1pf＋Ｒ1pr）／（Ｒ1pf−Ｒ1pr）で定義され、
Ｒ1pfは第１レンズ群中の正レンズの物体側面の曲率半径、
Ｒ1prは第１レンズ群中の正レンズの像側面の曲率半径、
である。
【００６３】
第６のズームレンズにおいて、上記構成をとる理由と作用を説明する。条件式（８）の上限を上回ると、広角端での歪曲収差を良好に補正することはできるが望遠端でのコマ収差の補正が不足になってしまう。条件式（８）の下限を下回ると、広角端での負の歪曲収差が補正不足になる。いずれにしても、全変倍域に亘ってバランスよく良好な収差補正を行うことが困難になる。
【００６４】
なお、好ましくは、以下の条件式（８−１）を満たすのが良い。
（８−１）    −１．５０＜ＳＦ1p＜−０．７０
【００６５】
なお、さらに好ましくは、以下の条件式（８−２）を満たすのが良い。これらにより、さらに上述の効果を効率良く奏することができる。
（８−２）    −１．２０＜ＳＦ1p＜−０．８５
【００６６】
また、本発明の第７のズームレンズは、第１〜第６のズームレンズにおいて、第１レンズ群の負レンズと正レンズは接合レンズとすることが望ましい。このように、接合レンズとすると、特に望遠端の軸上色収差補正を効果的に行うことができる。また、組み立て誤差によるレンズ相対偏心での光学性能の劣化を抑えることができ、歩留まりの向上やコストダウンに貢献する。
【００６７】
また、本発明の第８のズームレンズは、第１〜第６のズームレンズにおいて、第１レンズ群の負レンズと正レンズは接合されていない、それぞれ独立した単レンズからなる構成とすることが望ましい。
【００６８】
このように構成すると、負レンズと正レンズの間に空気レンズが形成され、広角端での歪曲収差、コマ収差、および望遠端でのコマ収差をより効果的に補正することが可能となる。
【００６９】
本発明の第９のズームレンズは、第８のズームレンズにおいて、第１レンズ群の負レンズと正レンズとの間で空気レンズが形成され、以下の条件式（９）を満足するようにすることが望ましい。
【００７０】
（９）    −１０５．０＜ＳＦ1air＜０
ただし、ＳＦ1air＝（Ｒ1nr＋Ｒ1pf）／（Ｒ1nr−Ｒ1pf）で定義され、
Ｒ1nrは第１レンズ群中の負レンズの像側面の曲率半径、
Ｒ1pfは第１レンズ群中の正レンズの物体側面の曲率半径、
である。
【００７１】
第９のズームレンズにおいて、上記構成をとる理由と作用を説明する。条件式（９）の上限を上回ると広角端・望遠端でのコマ収差の補正が良好に行えるが、広角端での歪曲収差補正が不足になる。条件式（９）の下限を下回ると、広角端での歪曲収差補正を良好に行えるが、広角端・望遠端でのコマ収差補正が不足になる。また、組み立て誤差で生じる第１レンズ群中の負レンズと正レンズの相対偏心による光学性能劣化が大きくなり易い。
【００７２】
なお、好ましくは、以下の条件式（９−１）を満たすのが良い。
（９−１）    −７５．０＜ＳＦ1air＜−５．０
【００７３】
なお、さらに好ましくは、以下の条件式（９−２）を満たすのが良い。これらにより、さらに上述の効果を効率良く奏することができる。
（９−２）    −４５．０＜ＳＦ1air＜−１０．０
【００７４】
また、本発明の第１０のズームレンズは、第１〜第９のズームレンズにおいて、後述する本発明の実施例１のように、第３レンズ群は物体側から順に、正レンズ、負レンズの２枚のみからなる構成とすることが望ましい。
【００７５】
このように、第３レンズ群で発生する諸収差および色収差を補正するための最小のレンズ枚数で構成することで、鏡筒の薄型化につながる。さらに、このような構成とすることで前側主点を物体側に位置させることができ、変倍時の群移動量を小さく抑えることで、コンパクト化につながる。
【００７６】
さらに、本発明の第１１のズームレンズは、第１〜第９のズームレンズにおいて、後述する本発明の実施例２〜９のように、より高い光学性能の確保を重視して、第３レンズ群は物体側から順に、正レンズ、正レンズ、負レンズの３枚からなる構成とすることが望ましい。そして、物体側から２番目の正レンズと負レンズは接合レンズとしている。
【００７７】
第３レンズ群の正レンズと負レンズを接合することで、軸上色収差の補正をより効果的に行うことができる。また、正レンズのパワーを２枚のレンズに分散させ、正レンズと負レンズを接合レンズとすることで、組み立て工程でのレンズ同士の相対偏心による光学性能の劣化を防ぐことができる。このため、歩留まりの向上やコストダウンにつながる。
【００７８】
また、本発明の第１２のズームレンズは、第１０、第１１のズームレンズにおいて、第３レンズ群を２枚のレンズから構成する場合、および３枚のレンズで構成する場合、第３レンズ群の最も物体側の正レンズの形状については、以下の条件式（１０）を満足することが望ましい。
【００７９】
（１０）    −１．００＜ＳＦ3p＜−０．０５
ただし、ＳＦ3p＝（Ｒ3pf＋Ｒ3pr）／（Ｒ3pf−Ｒ3pr）で定義され、
Ｒ3pfは第３レンズ群の最も物体側の正レンズの物体側面の曲率半径、
Ｒ3prは第３レンズ群の最も物体側の正レンズの像側面の曲率半径、
である。
【００８０】
第１２のズームレンズにおいて、上記構成をとる理由と作用を説明する。条件式（１０）の上限を上回るとコマ収差や非点収差の補正が不足となりやすく、良好な光学性能を得ることが難しくなる。条件式（１０）の下限を下回ると収差の補正が過剰になりがちで、組み立て時のレンズ偏心が発生したときに光学性能の劣化が大きくなりやすい。
【００８１】
なお、好ましくは、以下の条件式（１０−１）を満たすのが良い。
（１０−１）    −０．８５＜ＳＦ3p＜−０．１５
【００８２】
なお、さらに好ましくは、以下の条件式（１０−２）を満たすのが良い。これらにより、さらに上述の効果を効率良く奏することができる。
（１０−２）    −０．７０＜ＳＦ3p＜−０．２５
【００８３】
さらに、第３レンズ群内に１面以上の非球面を配置することで球面収差やコマ収差の補正に効果がある。本発明の実施例では、第３レンズ群内の最も物体側の正レンズを両面非球面としている。複数のレンズに非球面を配置するとレンズの相対偏心による光学性能劣化が大きくなりがちだが、このように１枚のレンズの両側面を非球面とすることでレンズ相対偏心による光学性能劣化を小さく抑えながら、球面収差とコマ収差をより良好に補正することが可能となっている。
【００８４】
本発明の第１３のズームレンズは、第１〜第１２のズームレンズにおいて、第２レンズ群のパワーについては以下の条件式（１１）を満足することが望ましい。
【００８５】
（１１）    −０．５０＜ｆ2／ｆt＜−０．１０
ただし、ｆ2は前記第２レンズ群の焦点距離、
ｆtは望遠端でのズームレンズの全系の焦点距離、
である。
【００８６】
第１３のズームレンズにおいて、上記構成をとる理由と作用を説明する。条件式（１１）の上限を上回ると、第２レンズ群のパワーが弱くなり過ぎるため、変倍のための移動量が大きくなる。条件式（１１）の下限を下回ると、第２レンズ群の近軸結像倍率が小さくなり、変倍のための移動量が大きくなり、また収差補正も困難になる。
【００８７】
なお、好ましくは、以下の条件式（１１−１）を満たすのが良い。
（１１−１）    −０．４０＜ｆ2／ｆt＜−０．１５
【００８８】
なお、さらに好ましくは、以下の条件式（１１−２）を満たすのが良い。これらにより、さらに上述の効果を効率良く奏することができる。
（１１−２）    −０．３０＜ｆ2／ｆt＜−０．２０
【００８９】
本発明の第１４のズームレンズは、第１〜第１３のズームレンズにおいて、第３レンズ群のパワーについては以下の条件式（１２）を満足することが望ましい。
【００９０】
（１２）    ０．２０＜ｆ3／ｆt＜０．４５
ただし、ｆ3は第３レンズ群の焦点距離、
ｆtは望遠端でのズームレンズの全系の焦点距離、
である。
【００９１】
第１４のズームレンズにおいて、上記構成をとる理由と作用を説明する。条件式（１２）の上限を上回ると、第３レンズ群のパワーが弱くなり過ぎるため変倍のための移動量が大きくなる。条件式（１２）の下限を下回ると、第３レンズ群の近軸結像倍率が小さくなり、変倍のための移動量が大きくなるし、収差補正も困難になる。
【００９２】
なお、好ましくは、以下の条件式（１２−１）を満たすのが良い。
（１２−１）    ０．２５＜ｆ3／ｆt＜０．４０
【００９３】
なお、さらに好ましくは、以下の条件式（１２−２）を満たすのが良い。これらにより、さらに上述の効果を効率良く奏することができる。
（１２−１）    ０．３０＜ｆ3／ｆt＜０．３５
【００９４】
本発明の第１５のズームレンズは、第１〜第１４のズームレンズにおいて、第４レンズ群のパワーについては以下の条件式を満足することが望ましい。
（１３）    ０．３５＜ｆ4／ｆt＜０．９０
ただし、ｆ4は第４レンズ群の焦点距離、
ｆtは望遠端でのズームレンズの全系の焦点距離、
である。
【００９５】
第１５のズームレンズにおいて、上記構成をとる理由と作用を説明する。条件式（１３）の上限を上回ると、第４レンズ群のパワーが弱くなりすぎて全ズーム領域における非点収差や歪曲収差が補正不足になってしまう。条件式（１３）の下限を下回ると、第４レンズ群のパワーが強くなりすぎて全領域における非点収差や歪曲収差が補正過剰になってしまう。
【００９６】
なお、好ましくは、以下の条件式（１３−１）を満たすのが良い。
（１３−１）    ０．４５＜ｆ4／ｆt＜０．８０
【００９７】
なお、さらに好ましくは、以下の条件式（１３−２）を満たすのが良い。これらにより、さらに上述の効果を効率良く奏することができる。
（１３−２）    ０．５５＜ｆ4／ｆt＜０．７０
【００９８】
本発明の第１６のズームレンズは、第１〜第１５のズームレンズにおいて、第４レンズ群はプラスチック材料で形成することが望ましい。第４レンズ群の主な役割は、射出瞳位置を適切な位置に配置してＣＣＤやＣＭＯＳ等の電子撮像素子に効率よく光線を入射させることである。
【００９９】
そのような役割のためには、上述した条件式（８）のような範囲内にパワーが設定されていれば比較的大きなパワーは必要とせず、プラスチックレンズのような屈折率の低い硝材を用いて構成することも可能である。第４レンズ群にプラスチックレンズを用いることでコストを安く抑え、より安価なズームレンズを提供することが可能となる。
【０１００】
第４レンズ群の正レンズは、上述のとおり射出瞳位置を適切に設定するための機能を有しているが、本発明の第１７のズームレンズは、第１〜第１６のズームレンズにおいて、第４レンズ群に非球面を配置することで積極的に収差補正の作用を持たせることも可能である。
【０１０１】
第４レンズ群は軸外光線の高さが高くなる場所であるので、主に歪曲収差や像面湾曲の補正に効果的である。このとき、非球面量に関して以下の条件式（１４）を満足することが望ましい。
【０１０２】
（１４）    ０＜|ａｓｐ4p／ｆ4|＜０．０２
ただし、ａｓｐ4pは第４レンズ群に配置された非球面が有する光軸近傍での曲率半径の球面に対する有効径での非球面偏倚量、
ｆ4は第４レンズ群の焦点距離、
である。
【０１０３】
第１７のズームレンズにおいて、上記構成をとる理由と作用を説明する。後述するとおり、ピント調整は第４レンズ群によるフォーカシングが有利であるが、条件式（１４）の上限を上回ると非球面による収差補正が過剰となり、至近物点撮影時の収差変動が大きくなってしまう。
【０１０４】
なお、好ましくは、以下の条件式（１４−１）を満たすのが良い。
（１４−１）    ０＜|ａｓｐ4p／ｆ4|＜０．０１５
【０１０５】
なお、さらに好ましくは、以下の条件式（１４−２）を満たすのが良い。これらにより、さらに上述の効果を効率良く奏することができる。
（１４−２）    ０＜|ａｓｐ4p／ｆ4|＜０．００８
【０１０６】
また、広角端から望遠端への変倍において、第１レンズ群は広角端よりも望遠端で物体側にあるように移動させることが望ましい。その際、第１レンズ群は物体側へのみ移動させても良いし、像側に凸の軌跡で移動させても良い。第２レンズ群は像側へのみ移動させても良いし、像側に凸の軌跡で移動させても良い。第３レンズ群は物体側へのみに移動させるのが良い。第４レンズ群は物体側へのみ移動させても良いし、像側へのみ移動させても良い。あるいは物体側に凸、または像側に凸の軌跡で移動させても良い。
【０１０７】
明るさ絞りおよびシャッターユニットは、変倍時に第３レンズ群と一体で移動させることが望ましい。これにより、入射瞳を物体側から見て近くに形成することができ、射出瞳を像面から遠くに形成できる。また、軸外光線の高さが低くなる場所であるのでシャッターユニットが大型化せずにすみ、明るさ絞りおよびシャッターユニットを移動させるときのデッドスペースが小さくて済む。
【０１０８】
またゴースト、フレア等の不要光をカットするために、明るさ絞り以外にフレア絞りを配置してもかまわない。第１レンズ群の物体側、第１、２レンズ群間、第２、３レンズ群間、第３、４レンズ群間、第４レンズ群から像面間のいずれの場所に配置しても良い。枠部材によりフレア光線をカットするように構成しても良いし、別の部材を構成しても良い。また光学系に直接印刷しても塗装してもシールなどを接着してもかまわない。
【０１０９】
またその形状は円形、楕円形、矩形、多角形、関数曲線で囲まれる範囲等、いかなる形状でもかまわない。また有害光束をカットするだけでなく画面周辺のコマフレア等の光束をカットしても良い。
【０１１０】
また、各レンズには反射防止コートを行い、ゴースト、フレアを軽減してもかまわない。マルチコートであれば効果的にゴースト、フレアを軽減できるので望ましい。また赤外カットコートをレンズ面、カバーガラス等に行ってもかまわない。
【０１１１】
また、ピント調節を行うためのフォーカシングは第４レンズ群が望ましい。第４レンズ群でフォーカシングを行うとレンズ重量が軽量なためモータにかかる負荷が少ない。さらに、フォーカシング時に全長が変化しないし、鏡枠内部に駆動モータを配置できるため、鏡枠のコンパクト化に有利である。上述のように第４レンズ群フォーカシングが望ましいが、第１、２、３レンズ群でフォーカシングを行っても良い。また複数のレンズ群を移動してフォーカシングを行っても良い。またレンズ系全体を繰り出してフォーカスを行っても良いし、一部のレンズを繰り出し、もしくは繰り込みしてフォーカスしても良い。
【０１１２】
また、画像周辺部の明るさのかげり（シェーディング）をＣＣＤのマイクロレンズをシフトすることにより軽減しても良い。例えば、各像高における光線の入射角に合わせてＣＣＤのマイクロレンズの設計を変えても良い。さらに画像処理により画像周辺部の低下量を補正しても良い。
【０１１３】
また、意図的に光学系で歪曲収差を出しておき、撮影後に電気的に画像処理を行って歪みを補正してもかまわない。
【０１１４】
また、本発明の第１８のズームレンズは、第１〜第１７のズームレンズにおいて、第１レンズ群の全てのレンズ面は球面とすることが望ましい。第１レンズ群のレンズ外径は大きくなりやすいため、第１レンズ群に非球面を配置するには大口径の非球面レンズが必要となり、コストや歩留まりの点で不利になってしまう。このため、コストおよび歩留まりの観点から、第１レンズ群は全て球面とするのが良い。
【０１１５】
また、本発明の第１９のズームレンズは、第１〜第１８のズームレンズにおいて、以下の条件式（１５）を満足するのが良い。
【０１１６】
（１５）    ４．０＜ｆt／ｆw＜１０．０
ただし、ｆwは広角端でのズームレンズの全系の焦点距離、
ｆtは望遠端でのズームレンズの全系の焦点距離、
である。
【０１１７】
第１９のズームレンズにおいて、上記構成をとる理由と作用を説明する。条件式（１５）の上限を上回ると本発明の構成では十分な光学性能を確保するのが難しくなる。条件式（１５）の下限を下回ると、より簡素な構成でも本発明の目的を達成できるため、本構成を採用しても、サイズやコストの面でメリットが発揮できない。
【０１１８】
なお、好ましくは、以下の条件式（１５−１）を満たすのが良い。
（１５−１）    ４．３＜ｆt／ｆw＜７．０
【０１１９】
なお、さらに好ましくは、以下の条件式（１５−２）を満たすのが良い。これらにより、さらに上述の効果を効率良く奏することができる。
（１５−２）    ４．７＜ｆt／ｆw＜５．０
【０１２０】
本発明の電子撮像装置は、ズームレンズと、ズームレンズの像側に配置され、ズームレンズにより形成された像を電気信号に変換する電子撮像素子を有し、ズームレンズが第１〜第１９の少なくとも何れか１つに記載のズームレンズであることを特徴とする。
【０１２１】
以下に本発明の電子撮像装置において上記構成をとる理由と作用を説明する。本発明のズームレンズの構成は、射出瞳を像面から離す構成に向いている。このため、ズームレンズにより形成された像を電気信号に変換する電子撮像素子を備えた電子撮像装置に用いることが好ましい。
【０１２２】
なお、上述の各構成は、任意に組み合わせて構わない。また、各条件式について、より限定した条件式の数値範囲の上限値あるいは下限値のみを限定しても構わない。
【発明の効果】
【０１２３】
以上の説明から明らかなように、本発明によれば、カメラの携帯性を損なうことなく従来よりも撮影領域を広げたいというユーザーの要望を満たせるような、カメラの小型化と高変倍比化を同時に満足し、具体的には鏡筒の沈胴時の薄型化に適していて５倍程度の高変倍比が確保されており、さらに撮影画像の画質が良好に維持され、ＣＣＤやＣＭＯＳ等の電子撮像素子に適しているズームレンズ光学系を提供できる。
【０１２４】
さらに、このズームレンズを備え、撮像面への光束の入射角度がある程度垂直に近いことが要求される電子撮像素子を備えたデジタルカメラ等の電子撮像装置を提供できる。
【発明を実施するための最良の形態】
【０１２５】
以下に、本発明に係るズームレンズ、撮像装置の実施例を図面に基づいて詳細に説明する。なお、この実施例によりこの発明が限定されるものではない。
【実施例】
【０１２６】
以下、本発明のズームレンズの実施例１〜９について説明する。なお、実施例１は参考例である。実施例１〜９の無限遠物点合焦時の広角端（ａ）、中間状態（ｂ）、望遠端（ｃ）のレンズ断面図をそれぞれ図１〜図９に示す。図１〜図９中、第１レンズ群はＧ１、第２レンズ群はＧ２、開口絞りはＳ、第３レンズ群はＧ３、第４レンズ群はＧ４、赤外光を制限する波長域制限コートを施したローパスフィルタを構成する平行平板はＦ、電子撮像素子のカバーガラスの平行平板はＣ、像面はＩで示してある。なお、カバーガラスＣの表面に波長域制限用の多層膜を施してもよい。また、そのカバーガラスＣにローパスフィルタ作用を持たせるようにしてもよい。
【０１２７】
実施例１のズームレンズは、図１に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１２８】
広角端から望遠端にかけての変倍時、第１レンズ群Ｇ１は物体側に移動し、第２レンズ群Ｇ２は像側に移動し、第３レンズ群Ｇ３は物体側に移動し、第４レンズ群Ｇ４は一旦物体側に移動したあと移動方向が反転して像側に移動する。
【０１２９】
物体側から順に、第１レンズ群Ｇ１は物体側に凸面を向けた第１負メニスカスレンズと第２両凸正レンズから構成される。第１負メニスカスレンズと第２両凸正レンズとの間で空気レンズが形成されている。第２レンズ群Ｇ２は第３両凹負レンズと、物体側に凸面を向けた第４正メニスカスレンズとで構成される。第３レンズ群Ｇ３は第５両凸正レンズと、物体側に凸面を向けた第６負メニスカスレンズとで構成される。第４レンズ群Ｇ４は第７両凸正レンズで構成されている。
【０１３０】
非球面は、第３両凹負レンズの両面と、第５両凸正レンズの両面と、第７両凸正レンズの物体側の面との５面に用いている。
【０１３１】
実施例２のズームレンズは、図２に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１３２】
広角端から望遠端にかけての変倍時、第１レンズ群Ｇ１は物体側に移動し、第２レンズ群Ｇ２は一旦像側に移動したあと移動方向が反転して物体側に移動し、第３レンズ群Ｇ３は物体側に移動し、第４レンズ群Ｇ４は一旦物体側に移動したあと移動方向が反転して像側に移動する。
【０１３３】
物体側から順に、第１レンズ群Ｇ１は物体側に凸面を向けた第１負メニスカスレンズと物体側に凸面を向けた第２正メニスカスレンズから構成される。第１負メニスカスレンズと第２正メニスカスレンズとは接合されている。第２レンズ群Ｇ２は第３両凹負レンズと、物体側に凸面を向けた第４正メニスカスレンズとで構成される。第３レンズ群Ｇ３は第５両凸正レンズと、第６両凸正レンズと、第７両凹負レンズとで構成される。第６両凸正レンズと、第７両凹負レンズとは接合されている。第４レンズ群Ｇ４は第８両凸正レンズで構成されている。
【０１３４】
非球面は、第３両凹負レンズの両面と、第５両凸正レンズの両面と、第８両凸正レンズの物体側の面との５面に用いている。
【０１３５】
実施例３のズームレンズは、図３に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１３６】
広角端から望遠端にかけての変倍時、第１レンズ群Ｇ１は物体側に移動し、第２レンズ群Ｇ２は像側に移動し、第３レンズ群Ｇ３は物体側に移動し、第４レンズ群Ｇ４は一旦像側に移動したあと移動方向が反転して物体側に移動する。
【０１３７】
物体側から順に、第１レンズ群Ｇ１は物体側に凸面を向けた第１負メニスカスレンズと物体側に凸面を向けた第２正メニスカスレンズから構成される。第２レンズ群Ｇ２は第３両凹負レンズと、物体側に凸面を向けた第４正メニスカスレンズとで構成される。第３レンズ群Ｇ３は第５両凸正レンズと、第６両凸正レンズと、第７両凹負レンズとで構成される。第６両凸正レンズと、第７両凹負レンズとは接合されている。第４レンズ群Ｇ４は第８両凸正レンズで構成されている。
【０１３８】
非球面は、第３両凹負レンズの両面と、第５両凸正レンズの両面と、第８両凸正レンズの物体側の面との５面に用いている。
【０１３９】
実施例４のズームレンズは、図４に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１４０】
広角端から望遠端にかけての変倍時、第１レンズ群Ｇ１は物体側に移動し、第２レンズ群Ｇ２は像側に移動し、第３レンズ群Ｇ３は物体側に移動し、第４レンズ群Ｇ４は一旦像側に移動したあと移動方向が反転して物体側に移動する。
【０１４１】
物体側から順に、第１レンズ群Ｇ１は物体側に凸面を向けた第１負メニスカスレンズと物体側に凸面を向けた第２正メニスカスレンズから構成される。第２レンズ群Ｇ２は第３両凹負レンズと、物体側に凸面を向けた第４正メニスカスレンズとで構成される。第３レンズ群Ｇ３は第５両凸正レンズと、第６両凸正レンズと、第７両凹負レンズとで構成される。第６両凸正レンズと、第７両凹負レンズとは接合されている。第４レンズ群Ｇ４は第８両凸正レンズで構成されている。
【０１４２】
非球面は、第３両凹負レンズの両面と、第５両凸正レンズの両面と、第８両凸正レンズの物体側の面との５面に用いている。
【０１４３】
実施例５のズームレンズは、図５に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１４４】
広角端から望遠端にかけての変倍時、第１レンズ群Ｇ１は物体側に移動し、第２レンズ群Ｇ２は一旦像側に移動したあと移動方向が反転して物体側に移動し、第３レンズ群Ｇ３は物体側に移動し、第４レンズ群Ｇ４は一旦物体側に移動したあと移動方向が反転して像側に移動する。
【０１４５】
物体側から順に、第１レンズ群Ｇ１は物体側に凸面を向けた第１負メニスカスレンズと第２両凸正レンズから構成される。第２レンズ群Ｇ２は第３両凹負レンズと、物体側に凸面を向けた第４正メニスカスレンズとで構成される。第３レンズ群Ｇ３は第５両凸正レンズと、第６両凸正レンズと、第７両凹負レンズとで構成される。第６両凸正レンズと、第７両凹負レンズとは接合されている。第４レンズ群Ｇ４は第８両凸正レンズで構成されている。
【０１４６】
非球面は、第３両凹負レンズの両面と、第５両凸正レンズの両面と、第８両凸正レンズの物体側の面との５面に用いている。
【０１４７】
実施例６のズームレンズは、図６に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１４８】
広角端から望遠端にかけての変倍時、第１レンズ群Ｇ１は物体側に移動し、第２レンズ群Ｇ２は一旦像側に移動したあと移動方向が反転して物体側に移動し、第３レンズ群Ｇ３は物体側に移動し、第４レンズ群Ｇ４は一旦物体側に移動したあと移動方向が反転して像側に移動する。
【０１４９】
物体側から順に、第１レンズ群Ｇ１は物体側に凸面を向けた第１負メニスカスレンズと物体側に凸面を向けた第２正メニスカスレンズから構成される。第１負メニスカスレンズと第２正メニスカスレンズとの間に空気レンズが形成されている。第２レンズ群Ｇ２は第３両凹負レンズと、物体側に凸面を向けた第４正メニスカスレンズとで構成される。第３レンズ群Ｇ３は第５両凸正レンズと、第６両凸正レンズと、第７両凹負レンズとで構成される。第６両凸正レンズと、第７両凹負レンズとは接合されている。第４レンズ群Ｇ４は第８両凸正レンズで構成されている。
【０１５０】
非球面は、第３両凹負レンズの両面と、第５両凸正レンズの両面と、第８両凸正レンズの物体側の面との５面に用いている。
【０１５１】
実施例７のズームレンズは、図７に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１５２】
広角端から望遠端にかけての変倍時、第１レンズ群Ｇ１は物体側に移動し、第２レンズ群Ｇ２は像側に移動し、第３レンズ群Ｇ３は物体側に移動し、第４レンズ群Ｇ４は像側に移動する。
【０１５３】
物体側から順に、第１レンズ群Ｇ１は物体側に凸面を向けた第１負メニスカスレンズと第２両凸正レンズから構成される。第２レンズ群Ｇ２は第３両凹負レンズと、物体側に凸面を向けた第４正メニスカスレンズとで構成される。第３レンズ群Ｇ３は第５両凸正レンズと、第６両凸正レンズと、第７両凹負レンズとで構成される。第６両凸正レンズと、第７両凹負レンズとは接合されている。第４レンズ群Ｇ４は第８両凸正レンズで構成されている。
【０１５４】
非球面は、第３両凹負レンズの両面と、第５両凸正レンズの両面と、第８両凸正レンズの物体側の面との５面に用いている。
【０１５５】
実施例８のズームレンズは、図８に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１５６】
広角端から望遠端にかけての変倍時、第１レンズ群Ｇ１は物体側に移動し、第２レンズ群Ｇ２は像側に移動し、第３レンズ群Ｇ３は物体側に移動し、第４レンズ群Ｇ４は一旦像側に移動したあと移動方向が反転して物体側に移動する。
【０１５７】
物体側から順に、第１レンズ群Ｇ１は物体側に凸面を向けた第１負メニスカスレンズと物体側に凸面を向けた第２正メニスカスレンズから構成される。第２レンズ群Ｇ２は第３両凹負レンズと、物体側に凸面を向けた第４正メニスカスレンズとで構成される。第３レンズ群Ｇ３は第５両凸正レンズと、第６両凸正レンズと、第７両凹負レンズとで構成される。第６両凸正レンズと、第７両凹負レンズとは接合されている。第４レンズ群Ｇ４は第８両凸正レンズで構成されている。
【０１５８】
非球面は、第３両凹負レンズの両面と、第５両凸正レンズの両面と、第８両凸正レンズの物体側の面との５面に用いている。
【０１５９】
実施例９のズームレンズは、図９に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１６０】
広角端から望遠端にかけての変倍時、第１レンズ群Ｇ１は物体側に移動し、第２レンズ群Ｇ２は一旦像側に移動したあと移動方向が反転して物体側に移動し、第３レンズ群Ｇ３は物体側に移動し、第４レンズ群Ｇ４は一旦物体側に移動したあと移動方向が反転して像側に移動する。
【０１６１】
物体側から順に、第１レンズ群Ｇ１は物体側に凸面を向けた第１負メニスカスレンズと第２両凸レンズから構成される。第１負メニスカスレンズと第２両凸レンズとの間に空気レンズが形成されている。第２レンズ群Ｇ２は第３両凹負レンズと、物体側に凸面を向けた第４正メニスカスレンズとで構成される。第３レンズ群Ｇ３は第５両凸正レンズと、第６両凸正レンズと、第７両凹負レンズとで構成される。第６両凸正レンズと、第７両凹負レンズとは接合されている。第４レンズ群Ｇ４は第８両凸正レンズで構成されている。
【０１６２】
非球面は、第３両凹負レンズの両面と、第５両凸正レンズの両面と、第８両凸正レンズの物体側の面との５面に用いている。
【０１６３】
以下に、上記各実施例の数値データを示す。記号は上記の外、ｆは全系焦点距離、ＦNOはＦナンバー、ωは半画角、ＷＥは広角端、ＳＴは中間状態、ＴＥは望遠端、ｒ1 、ｒ2 …は各レンズ面の曲率半径、ｄ1 、ｄ2 …は各レンズ面間の間隔、ｎd1、ｎd2…は各レンズのｄ線の屈折率、νd1、νd2…は各レンズのアッベ数である。なお、非球面形状は、ｘを光の進行方向を正とした光軸とし、ｙを光軸と直交する方向にとると、下記の式にて表される。
【０１６４】
ｘ＝（ｙ2 ／ｒ）／［１＋｛１−（Ｋ＋１）（ｙ／ｒ）2 ｝1/2 ］
＋Ａ4 ｙ4 ＋Ａ6 ｙ6 ＋Ａ8 ｙ8 ＋Ａ10ｙ10＋Ａ12ｙ12
ただし、ｒは近軸曲率半径、Ｋは円錐係数、Ａ4 、Ａ6 、Ａ8 、Ａ10、Ａ12はそれぞれ４次、６次、８次、１０次、１２次の非球面係数である。また、非球面係数において、「ｅ−ｎ」（ｎは整数）は、「１０−ｎ」を示している。
【０１６５】
実施例１
ｒ1 =   21.447           ｄ1 =  0.80     ｎd1 =  1.92286     νd1 =  18.90
ｒ2 =   16.568           ｄ2 =  0.33
ｒ3 =   19.065           ｄ3 =  3.00     ｎd2 =  1.72916     νd2 =  54.68
ｒ4 = -635.214           ｄ4 =（可変）  
ｒ5 =  -27.371（非球面） ｄ5 =  1.00     ｎd3 =  1.88300     νd3 =  40.76
ｒ6 =    5.547（非球面） ｄ6 =  1.71
ｒ7 =   10.368           ｄ7 =  2.16     ｎd4 =  1.92286     νd4 =  18.90
ｒ8 =   32.087           ｄ8 =（可変） 
ｒ9 =    ∞（絞り）      ｄ9 =  0.10
ｒ10=    4.015（非球面） ｄ10=  2.14     ｎd5 =  1.58313     νd5 =  59.38
ｒ11=  -20.737（非球面） ｄ11=  0.07
ｒ12=    6.067           ｄ12=  1.07     ｎd6 =  1.92286     νd6 =  20.88
ｒ13=    3.042           ｄ13=（可変）
ｒ14=   13.673（非球面） ｄ14=  2.68     ｎd7 =  1.52542     νd7 =  55.78
ｒ15=  -65.892           ｄ15=（可変）
ｒ16=     ∞             ｄ16=  0.50     ｎd8 =  1.54771     νd8 =  62.84
ｒ17=     ∞             ｄ17=  0.50
ｒ18=     ∞             ｄ18=  0.50     ｎd9 =  1.51633     νd9 =  64.14
ｒ19=     ∞             ｄ19=  0.50
ｒ20=     ∞（撮像面）
非球面係数
第5面
Ｒ = -27.371      
Ｋ=   0.065
Ａ4 =   2.93685e-04   
Ａ6 =  -1.29521e-05    
Ａ8 =   2.63539e-07 
Ａ10=  -7.77717e-10  
第6面        
Ｒ =   5.547  
Ｋ=  -0.216
Ａ4 =  -2.74527e-04    
Ａ6 =   5.81879e-06    
Ａ8 =  -2.46028e-06      
Ａ10=   7.68048e-08  
第10面   
Ｒ =   4.015     
Ｋ =  -0.052
Ａ4 =  -1.29073e-03     
Ａ6 =  -6.12402e-06     
Ａ8 =   1.86699e-06  
第11面
Ｒ = -20.737   
Ｋ =   0.000
Ａ4 =   7.99142e-04    
Ａ6 =   6.56260e-05     
Ａ8 =   4.48582e-06  
第14面
Ｒ =   13.673     
Ｋ =   -0.880
Ａ4 =    3.32538e-05     
Ａ6 =    3.03636e-05      
Ａ8 =   -2.12591e-06      
Ａ10=    6.32654e-08  
ズームデータ（∞）
ＷＥ       ＳＴ      ＴＥ        
ｆ（mm）       6.60      14.49     31.76    
ＦNO            4.47       5.71      5.99   
２ω（°）    62.67      29.43     13.60   
ｄ4             1.18       7.61     17.27  
ｄ8            12.07       5.03      0.55  
ｄ13            4.74       8.30      9.73   
ｄ15            3.31       4.30      3.77  
【０１６６】
実施例２
ｒ1 =   22.824           ｄ1 =  0.80     ｎd1 =  1.84666     νd1 =  23.78
ｒ2 =   14.601           ｄ2 =  2.82     ｎd2 =  1.72916     νd2 =  54.68
ｒ3 =  414.790           ｄ3 =（可変）  
ｒ4 =  -19.623（非球面） ｄ4 =  0.90     ｎd3 =  1.80495     νd3 =  40.90
ｒ5 =    5.406（非球面） ｄ5 =  1.71
ｒ6 =    8.975           ｄ6 =  2.07     ｎd4 =  1.92286     νd4 =  18.90
ｒ7 =   20.246           ｄ7 =（可変） 
ｒ8 =    ∞（絞り）      ｄ8 =  0.10
ｒ9 =    5.364（非球面） ｄ9 =  2.57     ｎd5 =  1.58313     νd5 =  59.38
ｒ10=  -16.396（非球面） ｄ10=  0.10
ｒ11=    8.877           ｄ11=  2.16     ｎd6 =  1.72916     νd6 =  54.68
ｒ12=   -5.099           ｄ12=  0.40     ｎd7 =  1.80100     νd7 =  34.97
ｒ13=    4.240           ｄ13=（可変） 
ｒ14=   11.188（非球面） ｄ14=  2.14     ｎd8 =  1.52542     νd8 =  55.78
ｒ15= -171.452           ｄ15=（可変） 
ｒ16=     ∞             ｄ16=  0.50     ｎd9 =  1.54771     νd9 =  62.84
ｒ17=     ∞             ｄ17=  0.50
ｒ18=     ∞             ｄ18=  0.50     ｎd10=  1.51633     νd10=  64.14
ｒ19=     ∞             ｄ19=  0.50
ｒ20=     ∞（撮像面）
非球面係数
第4面
Ｒ =  -19.623    
Ｋ =    0.089
Ａ4 =    8.04207e-04    
Ａ6 =   -2.03534e-05    
Ａ8 =    2.82387e-07     
Ａ10=   -1.69194e-09  
第5面
Ｒ =   5.406     
Ｋ =  -0.329
Ａ4 =   4.28184e-04   
Ａ6 =   2.10097e-05    
Ａ8 =  -1.65174e-06 
Ａ10=   1.28854e-08  
第9面
Ｒ =   5.364  
Ｋ =  -0.166
Ａ4 =  -2.03573e-04 
Ａ6 =   4.18417e-05  
Ａ8 =   3.69979e-06  
第10面
Ｒ = -16.396  
Ｋ =   0.000
Ａ4 =   9.35195e-04  
Ａ6 =   6.75272e-05  
Ａ8 =   5.30410e-06  
第14面
Ｒ =  11.188  
Ｋ =  -1.490
Ａ4 =   5.63156e-05 
Ａ6 =   1.24846e-05  
Ａ8 =  -1.04700e-06  
Ａ10=   3.12395e-08  
ズームデータ（∞）
ＷＥ       ＳＴ      ＴＥ        
ｆ（mm）       6.61      14.38     31.74
ＦNO            3.60      4.46      6.02
２ω（°）    62.90     29.44     13.45
ｄ3             1.26      7.82     13.73
ｄ7            12.51      5.36      1.54
ｄ13            4.42      6.52     14.10
ｄ15            2.69      4.42      3.00
【０１６７】
実施例３
ｒ1 =   18.267           ｄ1 =  0.80     ｎd1 =  1.84666     νd1 =  23.78
ｒ2 =   12.871           ｄ2 =  0.32
ｒ3 =   13.474           ｄ3 =  2.99     ｎd2 =  1.69680     νd2 =  55.53
ｒ4 =  200.326           ｄ4 =（可変） 
ｒ5 =  -25.331（非球面） ｄ5 =  1.00     ｎd3 =  1.80495     νd3 =  40.90
ｒ6 =    4.706（非球面） ｄ6 =  1.64
ｒ7 =    8.093           ｄ7 =  2.16     ｎd4 =  1.92286     νd4 =  18.90
ｒ8 =   17.200           ｄ8 =（可変） 
ｒ9 =    ∞（絞り）      ｄ9 =  0.10
ｒ10=    5.328（非球面） ｄ10=  2.14     ｎd5 =  1.58313     νd5 =  59.38
ｒ11=  -12.904（非球面） ｄ11=  0.10
ｒ12=   13.257           ｄ12=  1.41     ｎd6 =  1.69680     νd6 =  55.53
ｒ13=  -13.257           ｄ13=  0.80     ｎd7 =  1.68893     νd7 =  31.07
ｒ14=    4.281           ｄ14=（可変） 
ｒ15=   15.208（非球面） ｄ15=  2.26     ｎd8 =  1.52542     νd8 =  55.78
ｒ16=  -29.575           ｄ16=（可変）
ｒ17=     ∞             ｄ17=  0.50     ｎd9 =  1.54771     νd9 =  62.84
ｒ18=     ∞             ｄ18=  0.50
ｒ19=     ∞             ｄ19=  0.50     ｎd10=  1.51633     νd10=  64.14
ｒ20=     ∞             ｄ20=  0.49
ｒ21=     ∞（撮像面）
非球面係数
第5面
Ｒ =   -25.331  
Ｋ=     0.089
Ａ4 =     6.99130e-04  
Ａ6 =    -2.66634e-05  
Ａ8 =     5.48190e-07  
Ａ10=    -4.25249e-09  
第6面
Ｒ =     4.706 
Ｋ=    -0.296
Ａ4 =     1.79880e-04 
Ａ6 =     1.54509e-05 
Ａ8 =    -3.56752e-06 
Ａ10=     7.97263e-08  
第10面
Ｒ =      5.328 
Ｋ=     -0.166
Ａ4 =     -4.29810e-04 
Ａ6 =      2.92590e-05 
Ａ8 =      4.35260e-06 
Ａ10=      4.57241e-07  
第11面
Ｒ =    -12.904  
Ｋ=      0.000
Ａ4 =      1.01731e-03 
Ａ6 =      2.95209e-05 
Ａ8 =      1.04258e-05 
Ａ10=      3.52701e-07  
第15面
Ｒ =     15.208  
Ｋ=     -1.490
Ａ4 =      5.63156e-05 
Ａ6 =     -7.43659e-06  
Ａ8 =      7.17793e-07 
Ａ10=     -1.89625e-08  
ズームデータ（∞）
ＷＥ       ＳＴ      ＴＥ        
ｆ（mm）       6.61      14.33     31.69
ＦNO            3.74       4.96      5.76
２ω（°）    62.49      29.40     13.56
ｄ4             1.15       7.09     13.79
ｄ8            11.78       6.32      1.55
ｄ14            5.01      10.35     13.81
ｄ16            3.35       2.88      3.31
【０１６８】
実施例４
ｒ1 =   18.456           ｄ1 =  0.80     ｎd1 =  1.84666     νd1 =  23.78
ｒ2 =   12.647           ｄ2 =  0.32
ｒ3 =   13.355           ｄ3 =  3.00     ｎd2 =  1.72916     νd2 =  54.68
ｒ4 =  386.792           ｄ4 = （可変） 
ｒ5 =  -23.498（非球面） ｄ5 =  1.00     ｎd3 =  1.80495     νd3 =  40.90
ｒ6 =    4.753（非球面） ｄ6 =  1.61
ｒ7 =    7.926           ｄ7 =  2.16     ｎd4 =  1.92286     νd4 =  18.90
ｒ8 =   16.440           ｄ8 =（可変）  
ｒ9 =    ∞（絞り）      ｄ9 =  0.10
ｒ10=    5.125（非球面） ｄ10=  2.14     ｎd5 =  1.58313     νd5 =  59.38
ｒ11=  -14.256（非球面） ｄ11=  0.10
ｒ12=   13.351           ｄ12=  1.41     ｎd6 =  1.69680     νd6 =  55.53
ｒ13=  -13.351           ｄ13=  0.84     ｎd7 =  1.68893     νd7 =  31.07
ｒ14=    4.129           ｄ14 =（可変） 
ｒ15=   12.407（非球面） ｄ15=  2.42     ｎd8 =  1.52542     νd8 =  55.78
ｒ16=  -41.598           ｄ16=（可変） 
ｒ17=     ∞             ｄ17=  0.50     ｎd9 =  1.54771     νd9 =  62.84
ｒ18=     ∞             ｄ18=  0.50
ｒ19=     ∞             ｄ19=  0.50     ｎd10=  1.51633     νd10=  64.14
ｒ20=     ∞             ｄ20=  0.50
ｒ21=     ∞（撮像面）
非球面係数
第5面
Ｒ =    -23.498  
Ｋ =      0.089
Ａ4 =      8.39748e-04 
Ａ6 =     -3.07171e-05 
Ａ8 =      5.94210e-07 
Ａ10=     -4.70589e-09  
第6面
Ｒ =       4.753  
Ｋ=      -0.296
Ａ4 =       3.53665e-04 
Ａ6 =       1.63037e-05 
Ａ8 =      -3.23099e-06  
Ａ10=       5.18519e-08  
第10面
Ｒ =       5.125 
Ｋ =      -0.166
Ａ4 =      -4.04244e-04 
Ａ6 =       4.99196e-05 
Ａ8 =       2.29378e-06 
Ａ10=       7.26264e-07  
第11面
Ｒ =     -14.256  
Ｋ=       0.000
Ａ4 =       1.08996e-03  
Ａ6 =       6.53901e-05  
Ａ8 =       6.81316e-06  
Ａ10=       8.99070e-07  
第15面
Ｒ =      12.407  
Ｋ=      -1.490
Ａ4 =       5.63156e-05 
Ａ6 =       6.15610e-06 
Ａ8 =      -1.85805e-07 
Ａ10=       2.56016e-09  
ズームデータ（∞）
ＷＥ       ＳＴ      ＴＥ        
ｆ（mm）       6.61      14.33     31.71
ＦNO            3.85       5.00      6.00
２ω（°）    62.01      29.33     13.61
ｄ4             1.07       6.71     12.35
ｄ8            12.02       6.56      1.57
ｄ14            4.56       9.70     13.86
ｄ16            3.46       3.11      3.22
【０１６９】
実施例５
ｒ1 =     19.018           ｄ1 =  0.80   ｎd1 =  1.84666    νd1 =  23.78
ｒ2 =     12.782           ｄ2 =  0.32
ｒ3 =     13.398           ｄ3 =  3.00   ｎd2 =  1.72916    νd2 =  54.68
ｒ4 = -63631.002           ｄ4 =（可変） 
ｒ5 =    -21.481（非球面） ｄ5 =  1.00   ｎd3 =  1.80495    νd3 =  40.90
ｒ6 =      4.772（非球面） ｄ6 =  1.48
ｒ7 =      7.677           ｄ7 =  2.16   ｎd4 =  1.92286    νd4 =  18.90
ｒ8 =     15.641           ｄ8 =（可変）  
ｒ9 =       ∞（絞り）     ｄ9 =  0.10
ｒ10=      5.096（非球面） ｄ10=  2.14   ｎd5 =  1.58313    νd5 =  59.38
ｒ11=    -14.327（非球面） ｄ11=  0.10
ｒ12=     13.093           ｄ12=  1.41   ｎd6 =  1.69680    νd6 =  55.53
ｒ13=    -13.093           ｄ13=  0.84   ｎd7 =  1.68893    νd7 =  31.07
ｒ14=      4.197           ｄ14=（可変）  
ｒ15=     11.690（非球面） ｄ15=  2.29   ｎd8 =  1.52542    νd8 =  55.78
ｒ16=    -97.671           ｄ16=（可変）  
ｒ17=       ∞             ｄ17=  0.50   ｎd9 =  1.54771    νd9 =  62.84
ｒ18=       ∞             ｄ18=  0.50
ｒ19=       ∞             ｄ19=  0.50   ｎd10=  1.51633    νd10=  64.14
ｒ20=       ∞             ｄ20=  0.50
ｒ21=       ∞（撮像面）
非球面係数
第5面
Ｒ =     -21.481  
Ｋ=       0.089
Ａ4 =       5.95706e-04 
Ａ6 =      -1.00942e-05 
Ａ8 =      -1.85720e-08 
Ａ10=       1.76366e-09  
第6面
Ｒ =       4.772 
Ｋ =      -0.296
Ａ4 =       1.25946e-04 
Ａ6 =       2.71574e-05 
Ａ8 =      -1.58602e-06  
Ａ10=      -2.36532e-08  
第10面
Ｒ =       5.096  
Ｋ=      -0.166
Ａ4 =      -4.09470e-04 
Ａ6 =       8.52393e-05 
Ａ8 =      -5.52668e-06 
Ａ10=       1.68277e-06  
第11面
Ｒ =     -14.327 
Ｋ =       0.000
Ａ4 =       1.12365e-03 
Ａ6 =       1.22121e-04  
Ａ8 =      -8.47621e-06  
Ａ10=       3.05181e-06  
第15面
Ｒ =      11.690  
Ｋ=      -1.490
Ａ4 =       5.63156e-05 
Ａ6 =       1.24063e-05  
Ａ8 =      -7.62267e-07 
Ａ10=       1.77234e-08  
ズームデータ（∞）
ＷＥ       ＳＴ      ＴＥ        
ｆ（mm）       6.60      14.36     31.69
ＦNO            3.83       4.74      6.12
２ω（°）    63.15      29.28     13.54
ｄ4             1.06       7.02     11.56
ｄ8            11.93       6.08      1.53
ｄ14            4.68       8.08     14.20
ｄ16            3.22       3.55      3.10
【０１７０】
実施例６
ｒ1 =     17.291           ｄ1 =  0.80   ｎd1 =  1.92286    νd1 =  18.90
ｒ2 =     13.295           ｄ2 =  0.32
ｒ3 =     14.516           ｄ3 =  3.00   ｎd2 =  1.72916    νd2 =  54.68
ｒ4 =    303.290           ｄ4 =（可変）  
ｒ5 =    -21.320（非球面） ｄ5 =  1.00   ｎd3 =  1.80495    νd3 =  40.90
ｒ6 =      4.685（非球面） ｄ6 =  1.50
ｒ7 =      7.818           ｄ7 =  2.16   ｎd4 =  1.92286    νd4 =  18.90
ｒ8 =     17.094           ｄ8 =（可変）  
ｒ9 =      ∞（絞り）      ｄ9 =  0.10
ｒ10=      5.201（非球面） ｄ10=  2.14   ｎd5 =  1.58313    νd5 =  59.38
ｒ11=    -15.241（非球面） ｄ11=  0.10
ｒ12=     12.714           ｄ12=  1.41   ｎd6 =  1.69680    νd6 =  55.53
ｒ13=    -12.714           ｄ13=  0.84   ｎd7 =  1.68893    νd7 =  31.07
ｒ14=      4.262           ｄ14=（可変）  
ｒ15=     12.250（非球面） ｄ15=  2.42   ｎd8 =  1.52542    νd8 =  55.78
ｒ16=    -41.640           ｄ16=（可変） 
ｒ17=       ∞             ｄ17=  0.50   ｎd9 =  1.54771    νd9 =  62.84
ｒ18=       ∞             ｄ18=  0.50
ｒ19=       ∞             ｄ19=  0.50   ｎd10=  1.51633    νd10=  64.14
ｒ20=       ∞             ｄ20=  0.49
ｒ21=       ∞（撮像面）
非球面係数
第5面
Ｒ =     -21.320  
Ｋ=       0.089
Ａ4 =       8.88562e-04  
Ａ6 =      -3.61869e-05   
Ａ8 =       7.83290e-07  
Ａ10=      -6.76838e-09  
第6面
Ｒ =       4.685 
Ｋ=      -0.296
Ａ4 =       3.53825e-04  
Ａ6 =       9.08035e-06 
Ａ8 =      -3.61053e-06  
Ａ10=       7.27912e-08  
第10面
Ｒ =       5.201  
Ｋ=      -0.166
Ａ4 =      -3.20762e-04 
Ａ6 =       6.33467e-05 
Ａ8 =       7.37339e-07   
Ａ10=       9.18568e-07  
第11面
Ｒ =     -15.241   
Ｋ=       0.000
Ａ4 =       1.10693e-03 
Ａ6 =       8.64868e-05 
Ａ8 =       2.95171e-06 
Ａ10=       1.47136e-06  
第15面
Ｒ =      12.250  
Ｋ=      -1.490
Ａ4 =       5.63156e-05  
Ａ6 =       4.10541e-06  
Ａ8 =      -1.71153e-07  
Ａ10=       3.86818e-09  
ズームデータ（∞）
ＷＥ       ＳＴ      ＴＥ        
ｆ（mm）       6.61      14.33     31.69
ＦNO            3.83       4.74      5.95
２ω（°）    62.76      29.34     13.57
ｄ4             1.12       7.07     12.08
ｄ8            12.14       6.20      1.56
ｄ14            5.12       8.73     14.20
ｄ16            3.12       3.64      3.25
【０１７１】
実施例７
ｒ1 =     23.457           ｄ1 =  0.80   ｎd1 =  1.84666    νd1 =  23.78
ｒ2 =     14.154           ｄ2 =  0.40
ｒ3 =     15.271           ｄ3 =  3.00   ｎd2 =  1.77250    νd2 =  49.60
ｒ4 =   -215.758           ｄ4 =（可変）  
ｒ5 =    -23.097（非球面） ｄ5 =  1.00   ｎd3 =  1.80495    νd3 =  40.90
ｒ6 =      5.348（非球面） ｄ6 =  1.40
ｒ7 =      8.580           ｄ7 =  2.00   ｎd4 =  1.92286    νd4 =  18.90
ｒ8 =     18.871           ｄ8 =（可変）  
ｒ9 =      ∞（絞り）      ｄ9 =  0.10
ｒ10=      5.766（非球面） ｄ10=  2.45   ｎd5 =  1.58313    νd5 =  59.38
ｒ11=    -10.882（非球面） ｄ11=  0.10
ｒ12=     15.328           ｄ12=  1.44   ｎd6 =  1.69680    νd6 =  55.53
ｒ13=    -15.328           ｄ13=  1.22   ｎd7 =  1.68893    νd7 =  31.07
ｒ14=      4.089           ｄ14=（可変）  
ｒ15=     14.324（非球面） ｄ15=  2.60   ｎd8 =  1.52542    νd8 =  55.78
ｒ16=    -27.378           ｄ16=（可変）  
ｒ17=       ∞             ｄ17=  0.50   ｎd9 =  1.54771    νd9 =  62.84
ｒ18=       ∞             ｄ18=  0.50
ｒ19=       ∞             ｄ19=  0.50   ｎd10=  1.51633    νd10=  64.14
ｒ20=       ∞             ｄ20=  0.43
ｒ21=       ∞（撮像面）
非球面係数
第5面
Ｒ =     -23.097  
Ｋ=       0.089
Ａ4 =       1.80967e-04 
Ａ6 =      -1.62280e-07   
Ａ8 =       3.96691e-08   
Ａ10=      -7.98836e-10  
第6面
Ｒ =       5.348  
Ｋ=      -0.296
Ａ4 =      -1.84110e-04  
Ａ6 =       1.36361e-07 
Ａ8 =       1.68053e-07 
Ａ10=      -1.07186e-09  
第10面
Ｒ =       5.766  
Ｋ=      -1.073
Ａ4 =      -9.79726e-05    
Ａ6 =       1.50579e-06  
第11面
Ｒ =     -10.882  
Ｋ=       7.693
Ａ4 =       1.32858e-03   
Ａ6 =       3.01907e-05 
Ａ8 =       2.16650e-08   
Ａ10=       6.54410e-11  
第15面
Ｒ =      14.324  
Ｋ=      -0.001
Ａ4 =       4.02883e-05   
Ａ6 =       5.91976e-06  
Ａ8 =      -1.61602e-07   
Ａ10=       2.12392e-09  
ズームデータ（∞）
ＷＥ      ＳＴ      ＴＥ        
ｆ（mm）       6.62     14.37     32.09
ＦNO            3.83      5.11      6.00
２ω（°）    62.68     29.65     13.53
ｄ4             0.88      5.76     12.75
ｄ8            13.63      6.80      1.53
ｄ14            4.27      9.62     13.30
ｄ16            3.21      3.14      2.98
【０１７２】
実施例８
ｒ1 =     18.475           ｄ1 =  0.80   ｎd1 =  1.84666    νd1 =  23.78
ｒ2 =     12.659           ｄ2 =  0.32
ｒ3 =     13.341           ｄ3 =  3.00   ｎd2 =  1.72916    νd2 =  54.68
ｒ4 =    371.472           ｄ4 =（可変） 
ｒ5 =    -27.809（非球面） ｄ5 =  1.04   ｎd3 =  1.88300    νd3 =  40.76
ｒ6 =      5.100（非球面） ｄ6 =  1.59
ｒ7 =      8.182           ｄ7 =  2.16   ｎd4 =  1.92286    νd4 =  18.90
ｒ8 =     17.957           ｄ8 =（可変） 
ｒ9 =       ∞（絞り）     ｄ9 =  0.10
ｒ10=      5.153（非球面） ｄ10=  2.14   ｎd5 =  1.58313    νd5 =  59.38
ｒ11=    -14.137（非球面） ｄ11=  0.10
ｒ12=     13.221           ｄ12=  1.41   ｎd6 =  1.69680    νd6 =  55.53
ｒ13=    -13.221           ｄ13=  0.84   ｎd7 =  1.68893    νd7 =  31.07
ｒ14=      4.132           ｄ14=（可変） 
ｒ15=     12.698（非球面） ｄ15=  2.41   ｎd8 =  1.52542    νd8 =  55.78
ｒ16=    -41.598           ｄ16=（可変） 
ｒ17=       ∞             ｄ17=  0.50   ｎd9 =  1.54771    νd9 =  62.84
ｒ18=       ∞             ｄ18=  0.50
ｒ19=       ∞             ｄ19=  0.50   ｎd10=  1.51633    νd10=  64.14
ｒ20=       ∞             ｄ20=  0.50
ｒ21=       ∞（撮像面）
非球面係数
第5面
Ｒ =     -27.809  
Ｋ=       0.089
Ａ4 =       7.84324e-04 
Ａ6 =      -2.58647e-05 
Ａ8 =       4.69773e-07  
Ａ10=      -3.86741e-09  
第6面
Ｒ =       5.100  
Ｋ=      -0.296
Ａ4 =       4.61731e-04  
Ａ6 =       1.27444e-05 
Ａ8 =      -1.82774e-06  
Ａ10=       1.38991e-08  
第10面
Ｒ =       5.153 
Ｋ =      -0.166
Ａ4 =      -4.27647e-04 
Ａ6 =       5.55642e-05  
Ａ8 =       2.56242e-07  
Ａ10=       8.50934e-07  
第11面
Ｒ =     -14.137  
Ｋ=       0.000
Ａ4 =       1.04412e-03  
Ａ6 =       7.86314e-05 
Ａ8 =       1.87805e-06 
Ａ10=       1.26639e-06  
第15面
Ｒ =      12.698 
Ｋ =      -1.490
Ａ4 =       5.63156e-05  
Ａ6 =       6.88079e-06 
Ａ8 =      -2.59002e-07 
Ａ10=       4.35421e-09  
ズームデータ（∞）
ＷＥ      ＳＴ      ＴＥ        
ｆ（mm）       6.61     14.30     31.79
ＦNO            3.86      5.00      6.02
２ω（°）    61.87     29.41     13.58
ｄ4             0.99      6.71     12.32
ｄ8            12.00      6.59      1.53
ｄ14            4.59      9.66     13.87
ｄ16            3.48      3.09      3.26
【０１７３】
実施例９
ｒ1 =     18.613           ｄ1 =  0.83   ｎd1 =  2.00170    νd1 =  20.64
ｒ2 =     14.132           ｄ2 =  0.32
ｒ3 =     15.458           ｄ3 =  3.00   ｎd2 =  1.72916    νd2 =  54.68
ｒ4 =  -7762.115           ｄ4 =（可変）  
ｒ5 =    -19.900（非球面） ｄ5 =  1.00   ｎd3 =  1.80495    νd3 =  40.90
ｒ6 =      4.735（非球面） ｄ6 =  1.32
ｒ7 =      7.926           ｄ7 =  2.25   ｎd4 =  2.00170    νd4 =  20.64
ｒ8 =     18.204           ｄ8 =（可変）  
ｒ9 =       ∞（絞り）     ｄ9 =  0.10
ｒ10=      5.243（非球面） ｄ10=  2.14   ｎd5 =  1.58313    νd5 =  59.38
ｒ11=    -14.423（非球面） ｄ11=  0.10
ｒ12=     13.297           ｄ12=  1.41   ｎd6 =  1.69680    νd6 =  55.53
ｒ13=    -13.297           ｄ13=  0.84   ｎd7 =  1.68893    νd7 =  31.07
ｒ14=      4.302           ｄ14=（可変）  
ｒ15=     12.620（非球面） ｄ15=  2.32   ｎd8 =  1.52542    νd8 =  55.78
ｒ16=    -41.640           ｄ16=（可変） 
ｒ17=       ∞             ｄ17=  0.50   ｎd9 =  1.54771    νd9 =  62.84
ｒ18=       ∞             ｄ18=  0.50
ｒ19=       ∞             ｄ19=  0.50   ｎd10=  1.51633    νd10=  64.14
ｒ20=       ∞             ｄ20=  0.48
ｒ21=       ∞（撮像面）
非球面係数
第5面
Ｒ =     -19.900 
Ｋ=       0.089
Ａ4 =       7.68359e-04     
Ａ6 =      -2.74885e-05   
Ａ8 =       5.05160e-07  
Ａ10=      -3.51817e-09  
第6面
Ｒ =       4.735 
Ｋ=      -0.296
Ａ4 =       2.06227e-04 
Ａ6 =       1.05145e-05 
Ａ8 =      -3.20724e-06 
Ａ10=       5.51277e-08  
第10面
Ｒ =       5.243  
Ｋ=      -0.166
Ａ4 =      -3.57087e-04  
Ａ6 =       6.29255e-05   
Ａ8 =      -2.02800e-07 
Ａ10=       1.01728e-06  
第11面
Ｒ =     -14.423 
Ｋ=       0.000
Ａ4 =       1.07710e-03 
Ａ6 =       7.69622e-05 
Ａ8 =       3.07399e-06 
Ａ10=       1.50112e-06  
第15面
Ｒ =      12.620 
Ｋ=      -1.490
Ａ4 =       5.63156e-05  
Ａ6 =       3.25061e-06  
Ａ8 =      -1.24032e-07  
Ａ10=       2.58656e-09  
ズームデータ（∞）
ＷＥ      ＳＴ      ＴＥ        
ｆ（mm）       6.62     14.41     31.64
ＦNO            3.82      4.77      6.00
２ω（°）    62.97     29.10     13.54
ｄ4             1.12      7.18     12.54
ｄ8            12.66      6.25      1.55
ｄ14            5.19      8.85     14.31
ｄ16            3.03      3.59      3.19
【０１７４】
以上の実施例１〜９の無限遠物点合焦時の収差図をそれぞれ図１０〜図１８に示す。これらの収差図において、（ａ）は広角端、（ｂ）は中間状態、（ｃ）は望遠端における球面収差、非点収差、歪曲収差、倍率色収差を示す。各図中、“ＦＩＹ”は最大像高を示す。
【０１７５】
次に、各実施例における条件式（１）〜（１５）の値を掲げる。
実施例１    実施例２    実施例３    実施例４    実施例５
条件式(1)     1.161       1.145       1.065       0.974       0.948 
条件式(2)     0.663       0.568       0.687       0.663       0.636 
条件式(3)     0.054       0.059       0.086       0.083       0.079 
条件式(4)     1.883       1.80495     1.80495     1.80495     1.80495
条件式(5)     1.92286     1.92286     1.92286     1.92286     1.92286
条件式(6)     40.76       40.9        40.9        40.9        40.9
条件式(7)     18.9        18.9        18.9        18.9        18.9
条件式(8)    -0.942      -1.073      -1.144      -1.072      -1.000 
条件式(9)    -14.273        -        -43.696     -36.737     -42.527 
条件式(10)   -0.676      -0.51       -0.416      -0.471      -0.475 
条件式(11)   -0.273      -0.266      -0.248      -0.246      -0.240 
条件式(12)    0.326       0.314       0.322       0.329       0.318 
条件式(13)    0.687       0.632       0.614       0.583       0.632 
条件式(14)    0.005       0.00000     0.00028     0.00059     0.00047 
条件式(15)    4.810       4.800       4.794       4.797       4.800 
実施例６    実施例７    実施例８    実施例９
条件式(1)     0.967       1.010       0.972       1.021 
条件式(2)     0.640       0.624       0.690       0.616 
条件式(3)     0.084       0.057       0.059       0.090 
条件式(4)     1.80495     1.80495     1.883       1.80495
条件式(5)     1.92286     1.92286     1.92286     2.0017
条件式(6)     40.9        40.9        40.76       40.9
条件式(7)     18.9        18.9        18.9        20.644
条件式(8)    -1.101      -0.868      -1.075      -0.996 
条件式(9)    -22.776     -26.339     -38.107     -22.313 
条件式(10)   -0.491      -0.307      -0.466      -0.467 
条件式(11)   -0.242      -0.270      -0.245      -0.255 
条件式(12)    0.326       0.333       0.327       0.328 
条件式(13)    0.577       0.570       0.591       0.591 
条件式(14)    0.00007     0.00263     0.00073     0.00006 
条件式(15)    4.795       4.848       4.808       4.781 
【０１７６】
図１９〜図２１は、以上のようなズームレンズを撮影光学系１４１に組み込んだ本発明によるデジタルカメラの構成の概念図を示す。図１９はデジタルカメラ１４０の外観を示す前方斜視図、図２０は同後方正面図、図２１はデジタルカメラ１４０の構成を示す模式的な断面図である。ただし、図１９と図２１においては、撮影光学系１４１の非沈胴時を示している。デジタルカメラ１４０は、この例の場合、撮影用光路１４２を有する撮影光学系１４１、ファインダー用光路１４４を有するファインダー光学系１４３、シャッターボタン１４５、フラッシュ１４６、液晶表示モニター１４７、焦点距離変更ボタン１６１、設定変更スイッチ１６２等を含み、撮影光学系１４１の沈胴時には、カバー１６０をスライドすることにより、撮影光学系１４１とファインダー光学系１４３とフラッシュ１４６はそのカバー１６０で覆われる。そして、カバー１６０を開いてカメラ１４０を撮影状態に設定すると、撮影光学系１４１は図２１の非沈胴状態になり、カメラ１４０の上部に配置されたシャッターボタン１４５を押圧すると、それに連動して撮影光学系１４１、例えば実施例１のズームレンズを通して撮影が行われる。撮影光学系１４１によって形成された物体像が、波長域制限コートを施したローパスフィルタＦとカバーガラスＣを介してＣＣＤ１４９の撮像面上に形成される。このＣＣＤ１４９で受光された物体像は、処理手段１５１を介し、電子画像としてカメラ背面に設けられた液晶表示モニター１４７に表示される。また、この処理手段１５１には記録手段１５２が接続され、撮影された電子画像を記録することもできる。なお、この記録手段１５２は処理手段１５１と別体に設けてもよいし、フレキシブルディスクやメモリーカード、ＭＯ等により電子的に記録書込を行うように構成してもよい。また、ＣＣＤ１４９に代わって銀塩フィルムを配置した銀塩カメラとして構成してもよい。
【０１７７】
さらに、ファインダー用光路１４４上にはファインダー用対物光学系１５３が配置してある。ファインダー用対物光学系１５３は、複数のレンズ群（図の場合は３群）と２つのプリズムからなり、撮影光学系１４１のズームレンズに連動して焦点距離が変化するズーム光学系からなり、このファインダー用対物光学系１５３によって形成された物体像は、像正立部材である正立プリズム１５５の視野枠１５７上に形成される。この正立プリズム１５５の後方には、正立正像にされた像を観察者眼球Ｅに導く接眼光学系１５９が配置されている。なお、接眼光学系１５９の射出側にカバー部材１５０が配置されている。
【０１７８】
このように構成されたデジタルカメラ１４０は、撮影光学系１４１が本発明により、沈胴時に厚みを極めて薄く、高変倍で全変倍域で結像性能を極めて安定的であるあるので、高性能・小型化・広角化が実現できる。
【産業上の利用可能性】
【０１７９】
本発明では、カメラの薄型化を行い易いように配慮された、５倍程度の高変倍比を持つズームレンズ光学系を実現できる。当然ながら撮影画像の画質は良好に維持されており、またＣＣＤやＣＭＯＳ等の電子撮像素子に有用である。
【図面の簡単な説明】
【０１８０】
【図１】本発明のズームレンズの実施例１の無限遠物点合焦時の広角端（ａ）、中間状態（ｂ）、望遠端（ｃ）でのレンズ断面図である。
【図２】本発明のズームレンズの実施例２の図１と同様の図である。
【図３】本発明のズームレンズの実施例３の図１と同様の図である。
【図４】本発明のズームレンズの実施例４の図１と同様の図である。
【図５】本発明のズームレンズの実施例５の図１と同様の図である。
【図６】本発明のズームレンズの実施例６の図１と同様の図である。
【図７】本発明のズームレンズの実施例７の図１と同様の図である。
【図８】本発明のズームレンズの実施例８の図１と同様の図である。
【図９】本発明のズームレンズの実施例９の図１と同様の図である。
【図１０】実施例１の無限遠物点合焦時の収差図である。
【図１１】実施例２の無限遠物点合焦時の収差図である。
【図１２】実施例３の無限遠物点合焦時の収差図である。
【図１３】実施例４の無限遠物点合焦時の収差図である。
【図１４】実施例５の無限遠物点合焦時の収差図である。
【図１５】実施例６の無限遠物点合焦時の収差図である。
【図１６】実施例７の無限遠物点合焦時の収差図である。
【図１７】実施例８の無限遠物点合焦時の収差図である。
【図１８】実施例９の無限遠物点合焦時の収差図である。
【図１９】本発明によるデジタルカメラの外観を示す前方斜視図である。
【図２０】図１９のデジタルカメラの後方斜視図である。
【図２１】図１９のデジタルカメラの断面図である。
【符号の説明】
【０１８１】
Ｇ１…第１レンズ群
Ｇ２…第２レンズ群
Ｇ３…第３レンズ群
Ｇ４…第４レンズ群
Ｓ…開口絞り
Ｆ…ローパスフィルタ
Ｃ…カバーガラス
Ｉ…像面
１４０…デジタルカメラ
１４１…撮影光学系
１４２…撮影用光路
１４３…ファインダー光学系
１４４…ファインダー用光路
１４５…シャッターボタン
１４６…フラッシュ
１４７…液晶表示モニター
１４９…ＣＣＤ
１５０…カバー部材
１５１…処理手段
１５２…記録手段
１５３…ファインダー用対物光学系
１５５…正立プリズム
１５７…視野枠
１５９…接眼光学系
１６０…カバー
１６１…焦点距離変更ボタン
１６２…設定変更スイッチ
【図１】
0005111789.tif 000002
【図２】
0005111789.tif 000003
【図３】
0005111789.tif 000004
【図４】
0005111789.tif 000005
【図５】
0005111789.tif 000006
【図６】
0005111789.tif 000007
【図７】
0005111789.tif 000008
【図８】
0005111789.tif 000009
【図９】
0005111789.tif 000010
【図１０】
0005111789.tif 000011
【図１１】
0005111789.tif 000012
【図１２】
0005111789.tif 000013
【図１３】
0005111789.tif 000014
【図１４】
0005111789.tif 000015
【図１５】
0005111789.tif 000016
【図１６】
0005111789.tif 000017
【図１７】
0005111789.tif 000018
【図１８】
0005111789.tif 000019
【図１９】
0005111789.tif 000020
【図２０】
0005111789.tif 000021
【図２１】
0005111789.tif 000022